(57)【要約】【課題】  データ信号とクロック信号の同期を精度良く行うことが可能な光送信器を実現する。【解決手段】  送信するデータ信号に基づき光変調して送信光信号を生成する光送信器において、光源の出力光をデータ信号に基づき光位相変調する光位相変調手段と、この光位相変調手段の出力光をクロック信号に基づき光パルス変調して光送信出力として出力する光パルス変調手段と、データ信号の符号の遷移時間を拡張して光位相変調手段に印加する拡張手段と、データ信号若しくはクロック信号の位相シフト量をディザ信号で変調し、光送信出力を同期検波し、同期検波信号で位相シフト量を制御する位相制御手段とを設ける。【選択図】                    図１
2008211439.tif 000002
【特許請求の範囲】
【請求項１】
送信するデータ信号に基づき光変調して送信光信号を生成する光送信器において、
光源の出力光をデータ信号に基づき光位相変調する光位相変調手段と、
この光位相変調手段の出力光をクロック信号に基づき光パルス変調して光送信出力として出力する光パルス変調手段と、
前記データ信号の符号の遷移時間を拡張して前記光位相変調手段に印加する拡張手段と、
前記データ信号若しくは前記クロック信号の位相シフト量をディザ信号で変調し、前記光送信出力を同期検波し、同期検波信号で前記位相シフト量を制御する位相制御手段と
を備えたことを特徴とする光送信器。
【請求項２】
送信するデータ信号に基づき光変調して送信光信号を生成する光送信器において、
光源の出力光を互いに逆相の差動のデータ信号に基づき光位相変調する光位相変調手段と、
この光位相変調手段の出力光を差動のクロック信号に基づき光パルス変調して光送信出力として出力する光パルス変調手段と、
前記差動のデータ信号の符号の遷移時間をそれぞれ拡張して前記光位相変調手段に印加する２つの拡張手段と、
前記データ信号若しくは前記クロック信号の位相シフト量をディザ信号で変調し、前記光送信出力を同期検波し、同期検波信号で前記位相シフト量を制御する２つの位相制御手段と
を備えたことを特徴とする光送信器。
【請求項３】
前記拡張手段が、
ローパスフィルタであることを特徴とする
請求項１若しくは請求項２記載の光送信器。
【請求項４】
前記拡張手段が、
利得帯域を制限するドライバ増幅器であることを特徴とする
請求項１若しくは請求項２記載の光送信器。
【請求項５】
送信するデータ信号に基づき光変調して送信光信号を生成する光送信器において、
光源の出力光を互いに逆相の差動のデータ信号に基づき光位相変調する光位相変調手段と、
この光位相変調手段の出力光を差動のクロック信号に基づき光パルス変調して光送信出力として出力する光パルス変調手段と、
前記差動のデータ信号の一方を遅延させて前記光位相変調手段に印加する遅延手段と、
前記データ信号若しくは前記クロック信号の位相シフト量をディザ信号で変調し、前記光送信出力を同期検波し、同期検波信号で前記位相シフト量を制御する２つの位相制御手段と
を備えたことを特徴とする光送信器。
【請求項６】
送信するデータ信号に基づき光変調して送信光信号を生成する光送信器において、
データ信号を遅延させて遅延データ信号を生成する遅延手段と、
光源の出力光を前記データ信号及び前記遅延データ信号に基づき光位相変調する光位相変調手段と、
この光位相変調手段の出力光を差動のクロック信号に基づき光パルス変調して光送信出力として出力する光パルス変調手段と、
前記データ信号及び前記遅延データ信号若しくは前記クロック信号の位相シフト量をディザ信号で変調し、前記光送信出力を同期検波し、同期検波信号で前記位相シフト量を制御する２つの位相制御手段と
を備えたことを特徴とする光送信器。
【請求項７】
送信するデータ信号に基づき光変調して送信光信号を生成する光送信器において、
光源の出力光をデータ信号に基づき光位相変調する光位相変調手段と、
この光位相変調手段の出力光をクロック信号に基づき光パルス変調して光送信出力として出力する光パルス変調手段と、
前記光位相変調手段と前記光パルス変調手段との間に設けられた光フィルタ若しくは光干渉計と、
前記データ信号若しくは前記クロック信号の位相シフト量をディザ信号で変調し、前記光送信出力を同期検波し、同期検波信号で前記位相シフト量を制御する位相制御手段と
を備えたことを特徴とする光送信器。
【請求項８】
送信するデータ信号に基づき光変調して送信光信号を生成する光送信器において、
光源の出力光を互いに逆相の差動のデータ信号に基づき光位相変調する光位相変調手段と、
この光位相変調手段の出力光を差動のクロック信号に基づき光パルス変調して光送信出力として出力する光パルス変調手段と、
前記光位相変調手段と前記光パルス変調手段との間に設けられた光フィルタ若しくは光干渉計と、
前記データ信号若しくは前記クロック信号の位相シフト量をディザ信号で変調し、前記光送信出力を同期検波し、同期検波信号で前記位相シフト量を制御する２つの位相制御手段と
を備えたことを特徴とする光送信器。
【発明の詳細な説明】
【技術分野】
【０００１】
本発明は、送信するデータ信号に基づき光変調して送信光信号を生成する光送信器に関し、特にデータ信号とクロック信号の同期を精度良く行うことが可能な光送信器に関する。
【背景技術】
【０００２】
従来の送信するデータ信号に基づき光変調して送信光信号を生成する光送信器に関連する先行技術文献としては次のようなものがある。
【０００３】
【特許文献１】特開平０５−２８９１２５号公報
【特許文献２】特開平１１−００４１９６号公報
【特許文献３】特開２０００−０８９１７９号公報
【特許文献４】特開２０００−３３２６９２号公報
【特許文献５】特開２００３−００８５１０号公報
【０００４】
図９は従来の光送信器の一例を示す構成ブロック図である。図９において、１は光源、２はクロック信号用の光強度変調器、３はデータ信号用の光強度変調器、４は光カプラ等の光分岐手段、５はフォトダイオード等の光検出器、６は同期検波手段、７はディザ信号を発生させる発振器、８はローパスフィルタ等のフィルタ手段、９は加算器、１０は位相シフタである。また、４，５，６，７，８，９及び１０は位相制御手段５０を構成している。
【０００５】
光源１の光出力は光強度変調器２に入射され、光強度変調器２の出射光は光強度変調器３に入射される。光強度変調器３の出射光は光分岐手段４に入射され、光分岐手段４の一方の出射光は図９中”ＬＧ０１”に示すように光送信出力として出力され、光分岐手段４の他方の出射光は光検出器５に入射される。
【０００６】
光検出器５の出力は同期検波手段６の信号入力端子に印加され、発振器７の出力は同期検波手段６の同期信号入力端子に印加される。同期検波手段６の出力はフィルタ手段８を介して加算器９の一方の入力端子に印加され、発振器７の出力は加算器９の他方の入力端子に印加される。また、加算器９の出力は位相シフタ１０の制御入力端子に印加される。
【０００７】
一方、図９中”ＣＬ０１”に示すクロック信号（ＲＺ（Return Zero）クロックパルス信号）は位相シフタ１０を介して光強度変調器２の制御入力端子に印加され、図９中”ＤＴ０１”に示すデータ信号（ＮＲＺ（Non Return Zero）データ信号）は光強度変調器３の制御入力端子に印加される。
【０００８】
ここで、図９に示す従来例の動作を図１０及び図１１を用いて説明する図１０はデータ信号とクロック信号が同期している場合の光強度を説明する説明図、図１１はデータ信号とクロック信号との同期がずれた場合の光強度を説明する説明図である。
【０００９】
光源１の出力光は光強度変調器２において図９中”ＣＬ０１”に示すクロック信号（ディザ信号によって変調された位相シフト量の位相シフトを生じている）に基づきパルス化され、光強度変調器２の出力（パルス信号）は光強度変調器３において図９中”ＤＴ０１”に示すデータ信号に基づきデータ変調（光強度変調）されて図９中”ＬＧ０１”に示す光送信出力として出力される。
【００１０】
一方、光分岐手段４で分岐された光信号出力の光強度（光強度の平均）は光検出器５で電気信号に変換され、同期検波手段６において発振器７の出力であるディザ信号に基づき同期検波される。
【００１１】
すなわち、位相シフト量はディザ信号によって変調されているので、ディザ信号で同期検波することにより、位相シフト量の誤差信号を検出することになる。
【００１２】
このような同期検波信号（誤差信号）はローパスフィルタ等のフィルタ手段８により高周波成分を除去された後、加算器９で発振器７の出力（ディザ信号）を加算（変調）され、その加算結果が位相シフタ１０の制御入力端子に印加され位相シフト量を制御する。
【００１３】
例えば、位相シフト量の制御によりデータ信号とクロック信号が同期している場合には、データ信号とクロック信号の位置関係は図１０に示すようになる。
【００１４】
図１０中”ＮＲ１１”に示すデータ信号（ＮＲＺデータ信号）と、図１０中”ＲＺ１１”に示すクロック信号（ＲＺクロックパルス信号）とは同期しているので、図１０中”ＳＰ１１”に示すパルスが抑制された光強度の平均が光検出器５で検出されることになる。
【００１５】
一方、データ信号とクロック信号との同期がずれた場合、図１１中”ＮＲ２１”に示すデータ信号（ＮＲＺデータ信号）と、図１１中”ＲＺ２１”に示すクロック信号（ＲＺクロックパルス信号）との同期はずれているので、図１１中”ＳＰ２１”、”ＳＰ２２”及び”ＳＰ２３”に示すパルスが抑制された光強度の平均が光検出器５で検出されることになる。
【００１６】
図１０及び図１１から分かるように、図１０に示す同期状態時の検出される光強度の平均に対して、図１１に示す同期がずれた場合に検出される光強度の平均が低くなる。具体的には、同期の有無によって２倍程度光強度の平均が変化する。
【００１７】
すなわち、光検出器５で検出された光強度の平均が高くなるように位相シフタ１０の位相シフト量を制御することにより、データ信号とクロック信号の同期を精度良く行うことが可能になる。
【００１８】
この結果、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を精度良く行うことが可能になる。
【００１９】
また、図９に示すような従来例では、データ信号やクロック信号によって光強度変調が行なわれるような光送信器に関しては同期状態の検出感度が高く、データ信号とクロック信号の同期を取る場合には有効である。
【００２０】
さらに、近年では、光受信器において平均光強度レベルを下げても誤りの少ない伝送を可能にする差動位相変調（ＤＰＳＫ：Differential Phase Shift Keying）信号をクロック信号でパルス化する方法が着目されている。
【発明の開示】
【発明が解決しようとする課題】
【００２１】
しかし、差動位相変調信号は本質的に強度変調ではないので、光検出器により検出された信号とクロック信号の同期を取ることが困難であるといった問題点があった。すなわち、符号変化においては光強度変化がないので図９に示すような従来例では対応できない。
【００２２】
また、ｐｕｓｈ−ｐｕｌｌ型光変調器で生成された差動光位相変調信号の場合、符号変化における光強度変化が一瞬極小になる。図１２は光強度変調信号（ＮＲＺ信号）の一例を示すタイミング図、図１３はｐｕｓｈ−ｐｕｌｌ型光変調器で生成された差動光位相変調信号の一例を示すタイミング図である。
【００２３】
図１２中”ＮＲ３１”に示すような光強度変調信号の場合には、図９に示すような従来例の構成でデータ信号とクロック信号の同期を取ることが可能であるものの、図１３中”ＤＰ４１”に示すような差動光位相変調信号の場合、符号変化における光強度変化は非常に短い時間であり、誤差信号のＳ／Ｎ比が十分取れずデータ信号とクロック信号の同期を取ることが極めて困難となってしまう。
【００２４】
また、誤差信号のＳ／Ｎ比が十分取るために、クロック信号を変調するディザ信号の振幅レベルを大きくすると、パルス波形が時間軸上で大きく変動してしまい、ファイバ伝送特性や受信特性に悪影響を与えてしまうと言った問題点があった。
従って本発明が解決しようとする課題は、データ信号とクロック信号の同期を精度良く行うことが可能な光送信器を実現することにある。
【課題を解決するための手段】
【００２５】
このような課題を達成するために、本発明のうち請求項１記載の発明は、
送信するデータ信号に基づき光変調して送信光信号を生成する光送信器において、
光源の出力光をデータ信号に基づき光位相変調する光位相変調手段と、この光位相変調手段の出力光をクロック信号に基づき光パルス変調して光送信出力として出力する光パルス変調手段と、前記データ信号の符号の遷移時間を拡張して前記光位相変調手段に印加する拡張手段と、前記データ信号若しくは前記クロック信号の位相シフト量をディザ信号で変調し、前記光送信出力を同期検波し、同期検波信号で前記位相シフト量を制御する位相制御手段とを備えたことにより、データ信号とクロック信号の同期を精度良く行うことが可能になる。
【００２６】
請求項２記載の発明は、
送信するデータ信号に基づき光変調して送信光信号を生成する光送信器において、
光源の出力光を互いに逆相の差動のデータ信号に基づき光位相変調する光位相変調手段と、この光位相変調手段の出力光を差動のクロック信号に基づき光パルス変調して光送信出力として出力する光パルス変調手段と、前記差動のデータ信号の符号の遷移時間をそれぞれ拡張して前記光位相変調手段に印加する２つの拡張手段と、前記データ信号若しくは前記クロック信号の位相シフト量をディザ信号で変調し、前記光送信出力を同期検波し、同期検波信号で前記位相シフト量を制御する２つの位相制御手段とを備えたことにより、データ信号とクロック信号の同期を精度良く行うことが可能になる。
【００２７】
請求項３記載の発明は、
請求項１若しくは請求項２記載の発明である光送信器において、
前記拡張手段が、
ローパスフィルタであることにより、データ信号とクロック信号の同期を精度良く行うことが可能になる。
【００２８】
請求項４記載の発明は、
請求項１若しくは請求項２記載の発明である光送信器において、
前記拡張手段が、
利得帯域を制限するドライバ増幅器であることにより、データ信号とクロック信号の同期を精度良く行うことが可能になる。
【００２９】
請求項５記載の発明は、
送信するデータ信号に基づき光変調して送信光信号を生成する光送信器において、
光源の出力光を互いに逆相の差動のデータ信号に基づき光位相変調する光位相変調手段と、この光位相変調手段の出力光を差動のクロック信号に基づき光パルス変調して光送信出力として出力する光パルス変調手段と、前記差動のデータ信号の一方を遅延させて前記光位相変調手段に印加する遅延手段と、前記データ信号若しくは前記クロック信号の位相シフト量をディザ信号で変調し、前記光送信出力を同期検波し、同期検波信号で前記位相シフト量を制御する２つの位相制御手段とを備えたことにより、データ信号とクロック信号の同期を精度良く行うことが可能になる。
【００３０】
請求項６記載の発明は、
送信するデータ信号に基づき光変調して送信光信号を生成する光送信器において、
データ信号を遅延させて遅延データ信号を生成する遅延手段と、光源の出力光を前記データ信号及び前記遅延データ信号に基づき光位相変調する光位相変調手段と、この光位相変調手段の出力光を差動のクロック信号に基づき光パルス変調して光送信出力として出力する光パルス変調手段と、前記データ信号及び前記遅延データ信号若しくは前記クロック信号の位相シフト量をディザ信号で変調し、前記光送信出力を同期検波し、同期検波信号で前記位相シフト量を制御する２つの位相制御手段とを備えたことにより、データ信号とクロック信号の同期を精度良く行うことが可能になる。
【００３１】
請求項７記載の発明は、
送信するデータ信号に基づき光変調して送信光信号を生成する光送信器において、
光源の出力光をデータ信号に基づき光位相変調する光位相変調手段と、この光位相変調手段の出力光をクロック信号に基づき光パルス変調して光送信出力として出力する光パルス変調手段と、前記光位相変調手段と前記光パルス変調手段との間に設けられた光フィルタ若しくは光干渉計と、前記データ信号若しくは前記クロック信号の位相シフト量をディザ信号で変調し、前記光送信出力を同期検波し、同期検波信号で前記位相シフト量を制御する位相制御手段とを備えたことにより、データ信号とクロック信号の同期を精度良く行うことが可能になる。
【００３２】
請求項８記載の発明は、
送信するデータ信号に基づき光変調して送信光信号を生成する光送信器において、
光源の出力光を互いに逆相の差動のデータ信号に基づき光位相変調する光位相変調手段と、この光位相変調手段の出力光を差動のクロック信号に基づき光パルス変調して光送信出力として出力する光パルス変調手段と、前記光位相変調手段と前記光パルス変調手段との間に設けられた光フィルタ若しくは光干渉計と、前記データ信号若しくは前記クロック信号の位相シフト量をディザ信号で変調し、前記光送信出力を同期検波し、同期検波信号で前記位相シフト量を制御する２つの位相制御手段とを備えたことにより、データ信号とクロック信号の同期を精度良く行うことが可能になる。
【発明の効果】
【００３３】
本発明によれば次のような効果がある。
請求項１，２，３及び請求項４の発明によれば、拡張手段によって互いに逆相のデータ信号（ＮＲＺデータ信号）の符号の遷移時間を拡張して差動光位相変調を行なうと共に、データ信号若しくはクロック信号の位相シフト量をディザ信号で変調し、光送信出力の一部を電気信号に変換してディザ信号に基づき同期検波し、同期検波信号でデータ信号若しくはクロック信号の位相シフト量を制御することにより、データ信号とクロック信号の同期を精度良く行うことが可能になる。
【００３４】
また、請求項５の発明によれば、遅延手段によって互いに逆相のデータ信号（ＮＲＺデータ信号）の一方に半ビット以下の遅延を与えて差動光位相変調手段１２に印加すると共に、データ信号若しくはクロック信号の位相シフト量をディザ信号で変調し、光送信出力の一部を電気信号に変換してディザ信号に基づき同期検波し、同期検波信号でデータ信号若しくはクロック信号の位相シフト量を制御することにより、データ信号とクロック信号の同期を精度良く行うことが可能になる。
【００３５】
また、請求項６の発明によれば、データ信号（ＮＲＺデータ信号）と、遅延手段によってデータ信号（ＮＲＺデータ信号）に半ビット以下の遅延を与えた信号を差動光位相変調手段１２にそれぞれ印加すると共に、データ信号若しくはクロック信号の位相シフト量をディザ信号で変調し、光送信出力の一部を電気信号に変換してディザ信号に基づき同期検波し、同期検波信号でデータ信号若しくはクロック信号の位相シフト量を制御することにより、データ信号とクロック信号の同期を精度良く行うことが可能になる。
【００３６】
また、請求項７及び請求項８の発明によれば、差動光位相変調手段と光パルス変調手段との間に設けられた光フィルタ若しくは光干渉計によって差動光位相変調手段の出力光の符号の遷移時間を拡張すると共に、データ信号若しくはクロック信号の位相シフト量をディザ信号で変調し、光送信出力の一部を電気信号に変換してディザ信号に基づき同期検波し、同期検波信号でデータ信号若しくはクロック信号の位相シフト量を制御することにより、データ信号とクロック信号の同期を精度良く行うことが可能になる。
【発明を実施するための最良の形態】
【００３７】
以下本発明を図面を用いて詳細に説明する。図１は本発明に係る光送信器の一実施例を示す構成ブロック図である。
【００３８】
図１において、１１は光源、１２はデータ信号用の光変調器である差動光位相変調手段、１３はクロック信号用の光変調器である光パルス変調手段、１４は光カプラ等の光分岐手段、１５はフォトダイオード等の光検出器、１６は同期検波手段、１７はディザ信号を発生させる発振器、１８は加算器、１９はクロック信号（ＲＺクロックパルス信号）を発生させるクロック信号発生手段、２０は位相シフタ、２１及び２２はデータ発生手段であり互いに逆相のデータ信号（ＮＲＺデータ信号）を発生させる差動データ発生手段、２３及び２４は符号の遷移時間を拡張するローパスフィルタ等の拡張手段である。また、１４，１５，１６，１７，１８及び２０は位相制御手段５１を構成している。
【００３９】
光源１１の光出力は差動光位相変調手段１２に入射され、差動光位相変調手段１２の出射光は光パルス変調手段１３に入射される。光パルス変調手段１３の出射光は光分岐手段１４に入射され、光分岐手段１４の一方の出射光は図１中”ＬＧ５１”に示すように光送信出力として出力され、光分岐手段１４の他方の出射光は光検出器１５に入射される。
【００４０】
光検出器１５の出力は同期検波手段１６の信号入力端子に印加され、発振器１７の出力は同期検波手段１６の同期信号入力端子に印加される。同期検波手段１６の出力は加算器１８の一方の入力端子に印加され、発振器１７の出力は加算器１８の他方の入力端子に印加される。また、加算器１８の出力は位相シフタ２０の制御入力端子に印加される。
【００４１】
一方、差動データ発生手段２１及び２２の出力である互いに逆相のデータ信号（ＮＲＺデータ信号）は拡張手段２３及び２４をそれぞれ介して差動光位相変調手段１２の差動の制御入力端子にそれぞれ印加され、クロック信号発生手段１９の出力であるクロック信号（ＲＺクロックパルス信号）は位相シフタ２０を介して光パルス変調手段１３の制御入力端子に印加される。
【００４２】
但し、差動光位相変調手段１２が差動動作しており、パルス変調手段１３もまた差動のクロック信号に基づき差動動作して光パルス化を行うものであるが、説明簡単のため光パルス変調手段１３へのクロック信号の印加は一方（差動データ発生手段２２側）のみを記載し、他方（差動データ発生手段２１側）の回路構成の記載は省略している。
【００４３】
ここで、図１に示す実施例の動作を図２を用いて説明する。図２は位相変調光信号と、パルス化光信号との関係を示す説明図である。但し、動作に関しても説明の簡単のために、差動動作ではなく一方の側（差動データ発生手段２２及びクロック信号発生手段１９側）に関して説明する。
【００４４】
光源１１の出力光は差動光位相変調手段１２において互いに逆相のデータ信号（ＮＲＺデータ信号）で差動光位相変調され、光パルス変調手段１３においてクロック信号（ディザ信号によって変調された位相シフト量の位相シフトを生じている）に基づきパルス化されて図１中”ＬＧ５１”に示す光送信出力として出力される。
【００４５】
但し、互いに逆相のデータ信号（ＮＲＺデータ信号）は拡張手段２３及び２４によって符号の遷移時間が拡張されるので、拡張手段２３及び２４無しでは差動光位相変調手段１２の出力光は図２（ａ）に示すような符号の遷移時間が非常に狭い光信号であるのに対して、拡張手段２３及び２４を介することにより、差動光位相変調手段１２の出力光は図２（ｂ）に示すような符号の遷移時間が拡張された光信号となる。
【００４６】
また、光パルス変調手段１３において光パルス化されたパルス化光信号は、図２（ｃ）に示すようにディザ信号によって変調（ディザリング）された光信号となる。
【００４７】
一方、光分岐手段１４で分岐された光信号出力の光強度（光強度の平均）は光検出器１５で電気信号に変換され、同期検波手段１６において発振器１７の出力であるディザ信号に基づき同期検波される。
【００４８】
すなわち、位相シフト量はディザ信号によって変調されているので、ディザ信号で同期検波することにより、位相シフト量の誤差信号を検出することになる。
【００４９】
このような同期検波信号（誤差信号）に対して加算器１８で発振器１７の出力（ディザ信号）を加算（変調）され、その加算結果が位相シフタ２０の制御入力端子に印加され位相シフト量を制御する。
【００５０】
また、図２（ｂ）の位相変調光信号は符号の遷移時間が拡張されているので、図２（ａ）の位相変調光信号と比べて誤差信号のＳ／Ｎ比を大きく、言い換えれば、同期状態（誤差信号）の検出感度が高くすることができる。
【００５１】
例えば、図３は変調手段の駆動信号の立上り立下り時間と、誤差信号の検出感度の関係を示す特性曲線図であり、駆動信号を”４０Ｇｂ／ｓ”とした場合、図３に示すように、駆動信号の立上り立下り時間を長く、言い換えれば、符号の遷移時間を長くすることにより、同期状態（誤差信号）の検出感度が向上することが分かる。
【００５２】
この結果、拡張手段によって互いに逆相のデータ信号（ＮＲＺデータ信号）の符号の遷移時間を拡張して差動光位相変調を行なうと共に、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を精度良く行うことが可能になる。
【００５３】
また、図４は本発明に係る光送信器の他の実施例を示す構成ブロック図である。図４において、１１，１２，１３，１４，１５，１６，１７，１８，１９，２０，２１，２２及び５１は図１と同一符号を付してあり、２５及び２６は利得帯域を制限するドライバ増幅器等の帯域制限手段である。
【００５４】
接続関係に関しては図１に示す実施例とほぼ同一であり、異なる点は拡張手段２３及び２４が帯域制限手段２５及び２６で置換された点である。
【００５５】
ここで、図４に示す実施例の動作を説明する。但し、図１に示す実施例と同様の動作に関しては説明を省略する。
【００５６】
互いに逆相のデータ信号（ＮＲＺデータ信号）は帯域制限手段２５及び２６を介することにより、差動光位相変調手段１２の出力光は、図２（ｂ）に示すような符号の遷移時間が拡張された光信号となる。また、その他の動作に関しては図１に示す実施例と同様である。
【００５７】
この結果、帯域制御手段（拡張手段）によって互いに逆相のデータ信号（ＮＲＺデータ信号）の符号の遷移時間を拡張して差動光位相変調を行なうと共に、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を精度良く行うことが可能になる。
【００５８】
また、図５は本発明に係る光送信器の他の実施例を示す構成ブロック図である。図５において、１１，１２，１３，１４，１５，１６，１７，１８，１９，２０，２１，２２及び５１は図１と同一符号を付してあり、２７は遅延手段である。
【００５９】
接続関係に関しては図１に示す実施例とほぼ同一であり、異なる点は、拡張手段２３が取り除かれ、拡張手段２４が遅延手段２７で置換された点である。
【００６０】
ここで、図５に示す実施例の動作を説明する。但し、図１に示す実施例と同様の動作に関しては説明を省略する。
【００６１】
遅延手段２７は互いに逆相のデータ信号（ＮＲＺデータ信号）の一方に半ビット以下の遅延を与えて差動光位相変調手段１２に印加することにより、差動光位相変調手段１２の出力光は、図２（ｂ）に示すような符号の遷移時間が拡張された光信号となる。また、その他の動作に関しては図１に示す実施例と同様である。
【００６２】
この結果、遅延手段によって互いに逆相のデータ信号（ＮＲＺデータ信号）の一方に半ビット以下の遅延を与えて差動光位相変調手段１２に印加すると共に、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を精度良く行うことが可能になる。
【００６３】
また、図６は本発明に係る光送信器の他の実施例を示す構成ブロック図である。図６において、１１，１２，１３，１４，１５，１６，１７，１８，１９，２０，２２及び５１は図１と同一符号を付してあり、２８は遅延手段である。
【００６４】
接続関係に関しては図１に示す実施例とほぼ同一であり、異なる点は、差動データ発生手段２１及び拡張手段２３が取り除かれ、拡張手段２４が遅延手段２８で置換されると共に差動データ発生手段２１の出力が差動光位相変調手段１２の他方の制御入力端子に直接印加される点である。
【００６５】
ここで、図６に示す実施例の動作を説明する。但し、図１に示す実施例と同様の動作に関しては説明を省略する。
【００６６】
遅延手段２８は差動データ発生手段２１の出力であるデータ信号（ＮＲＺデータ信号）と、データ信号（ＮＲＺデータ信号）に半ビット以下の遅延を与えた信号を差動光位相変調手段１２にそれぞれ印加することにより、差動光位相変調手段１２の出力光は、図２（ｂ）に示すような符号の遷移時間が拡張された光信号となる。また、その他の動作に関しては図１に示す実施例と同様である。
【００６７】
この結果、データ信号（ＮＲＺデータ信号）と、遅延手段によってデータ信号（ＮＲＺデータ信号）に半ビット以下の遅延を与えた信号を差動光位相変調手段１２にそれぞれ印加すると共に、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を精度良く行うことが可能になる。
【００６８】
また、図７は本発明に係る光送信器の他の実施例を示す構成ブロック図である。図７において、１１，１２，１３，１４，１５，１６，１７，１８，１９，２０，２１，２２及び５１は図１と同一符号を付してあり、２９は波長透過曲線が１次ガウス型である光フィルタ等の狭帯域の光フィルタである。
【００６９】
接続関係に関しては図１に示す実施例とほぼ同一であり、異なる点は、拡張手段２３及び２４が取り除かれ、差動光位相変調手段１２と光パルス変調手段１３との間に光フィルタ２９を設けた点である。
【００７０】
ここで、図７に示す実施例の動作を説明する。但し、図１に示す実施例と同様の動作に関しては説明を省略する。
【００７１】
差動光位相変調手段１２に印加される互いに逆相のデータ信号（ＮＲＺデータ信号）は符号の遷移時間が拡張されていないので、差動光位相変調手段１２の出力光は、図２（ａ）に示すような符号の遷移時間が非常に狭い光信号であるが、後段の狭帯域の光フィルタ２９によって、差動光位相変調手段１２の出力光は図２（ｂ）に示すような符号の遷移時間が拡張された光信号となる。また、その他の動作に関しては図１に示す実施例と同様である。
【００７２】
この結果、差動光位相変調手段と光パルス変調手段との間に設けられた光フィルタによって差動光位相変調手段の出力光の符号の遷移時間を拡張すると共に、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を精度良く行うことが可能になる。
【００７３】
また、図８は本発明に係る光送信器の他の実施例を示す構成ブロック図である。図８において、１１，１２，１３，１４，１５，１６，１７，１８，１９，２０，２１，２２及び５１は図１と同一符号を付してあり、３０はマッハツェンダ型光干渉計等の光干渉計である。
【００７４】
接続関係に関しては図１に示す実施例とほぼ同一であり、異なる点は、拡張手段２３及び２４が取り除かれ、差動光位相変調手段１２と光パルス変調手段１３との間に光干渉計３０を設けた点である。
【００７５】
ここで、図８に示す実施例の動作を説明する。但し、図１に示す実施例と同様の動作に関しては説明を省略する。
【００７６】
差動光位相変調手段１２に印加される互いに逆相のデータ信号（ＮＲＺデータ信号）は符号の遷移時間が拡張されていないので、差動光位相変調手段１２の出力光は、図２（ａ）に示すような符号の遷移時間が非常に狭い光信号であるが、後段の光干渉計３０によって、差動光位相変調手段１２の出力光は図２（ｂ）に示すような符号の遷移時間が拡張された光信号となる。また、その他の動作に関しては図１に示す実施例と同様である。
【００７７】
この結果、差動光位相変調手段と光パルス変調手段との間に設けられた光干渉計によって差動光位相変調手段の出力光の符号の遷移時間を拡張すると共に、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を精度良く行うことが可能になる。
【００７８】
なお、図１等に示す実施例においては、クロック信号の位相シフト量をディザ信号で変調し、光送信出力の一部を電気信号に変換してディザ信号に基づき同期検波し、同期検波信号でクロック信号の位相シフト量を制御することにより、データ信号とクロック信号の同期を行なっているが、勿論、データ信号側でディザ信号による変調や同期検波を行なうことにより、データ信号とクロック信号の同期を行なっても構わない。
【００７９】
また、図１等に示す実施例においては、光位相変調や光パルス変調を差動で行なっていたが、勿論、差動で行なわなくても構わない。
【図面の簡単な説明】
【００８０】
【図１】本発明に係る光送信器の一実施例を示す構成ブロック図である。
【図２】位相変調光信号と、パルス化光信号との関係を示す説明図である。
【図３】変調手段の駆動信号の立上り立下り時間と、誤差信号の検出感度の関係を示す特性曲線図である。
【図４】本発明に係る光送信器の他の実施例を示す構成ブロック図である。
【図５】本発明に係る光送信器の他の実施例を示す構成ブロック図である。
【図６】本発明に係る光送信器の他の実施例を示す構成ブロック図である。
【図７】本発明に係る光送信器の他の実施例を示す構成ブロック図である。
【図８】本発明に係る光送信器の他の実施例を示す構成ブロック図である。
【図９】従来の光送信器の一例を示す構成ブロック図である。
【図１０】データ信号とクロック信号が同期している場合の光強度を説明する説明図である。
【図１１】データ信号とクロック信号との同期がずれた場合の光強度を説明する説明図である。
【図１２】光強度変調信号（ＮＲＺデータ信号）の一例を示すタイミング図である。
【図１３】ｐｕｓｈ−ｐｕｌｌ型光変調器で生成された差動光位相変調信号の一例を示すタイミング図である。
【符号の説明】
【００８１】
１，１１  光源
２，３  光強度変調器
４，１４  光分岐手段
５，１５  光検出器
６，１６  同期検波手段
７，１７  発振器
８  フィルタ手段
９，１８  加算器
１０，２０  位相シフタ
１２  差動光位相変調手段
１３  光パルス変調手段
１９  クロック信号発生手段
２１，２２  差動データ発生手段
２３，２４  拡張手段
２５，２６  帯域制限手段
２７，２８  遅延手段
２９  光フィルタ
３０  光干渉計
５０、５１  位相制御手段
【図１】
2008211439.tif 000003
【図２】
2008211439.tif 000004
【図３】
2008211439.tif 000005
【図４】
2008211439.tif 000006
【図５】
2008211439.tif 000007
【図６】
2008211439.tif 000008
【図７】
2008211439.tif 000009
【図８】
2008211439.tif 000010
【図９】
2008211439.tif 000011
【図１０】
2008211439.tif 000012
【図１１】
2008211439.tif 000013
【図１２】
2008211439.tif 000014
【図１３】
2008211439.tif 000015